(57)【要約】【課題】  異なるデバイス間の等色関係を簡易かつ高精度に取得する。【解決手段】  色処理装置10は、参照試料の色情報およびモニタ211の色特性を記憶する記憶部102、105、ユーザ指示を入力する入力部101、参照試料の色情報に基づき色が異なる複数の色票データを生成するとともに、ユーザ指示に基づき複数の色票データの少なくとも一部を変更する色票制御部106、並びに、モニタ211の色特性に基づき複数の色票データを補正し、補正した複数の色票データをモニタ211に出力する色票出力部107を有する。色票制御部106は、ユーザ指示に基づき、参照試料と色票データの組み合わせにおける等色関係を取得するか否かを判定し、等色関係を取得すると判定した場合、当該組み合わせにおける等色関係を記憶部108に格納する。【選択図】  図2
2014121022.tif 000002
【特許請求の範囲】
【請求項１】
異なるデバイスの間の等色関係を取得する色処理装置であって、
参照試料の色情報および表示装置の色特性を記憶する記憶手段と、
ユーザ指示を入力する入力手段と、
前記参照試料の色情報に基づき色が異なる複数の色票データを生成するとともに、前記ユーザ指示に基づき前記複数の色票データの少なくとも一部を変更する色票制御手段と、  前記表示装置の色特性に基づき前記生成または変更された複数の色票データを補正し、前記補正した複数の色票データを前記表示装置に出力する色票出力手段とを有し、
前記色票制御手段は、前記ユーザ指示に基づき、前記参照試料と前記色票データの組み合わせにおける等色関係を取得するか否かを判定し、前記等色関係を取得すると判定した場合、当該組み合わせにおける等色関係を前記記憶手段に格納する色処理装置。
【請求項２】
前記色票制御手段は、前記組み合わせにおける等色関係を取得すると判定した場合、次の参照試料に対応する複数の色票データを生成する請求項1に記載された色処理装置。
【請求項３】
前記色票制御手段は、前記参照試料と前記色票データの組み合わせすべてにおける等色関係の取得が終了したか否かを判定し、
さらに、前記色票制御手段が前記組み合わせすべてにおける等色関係の取得が終了したと判定すると、前記取得された等色関係に基づきユーザの個人等色データを作成する作成手段を有する請求項1または請求項2に記載された色処理装置。
【請求項４】
前記記憶手段は、前記参照試料を印刷するための参照試料データを記憶し、
さらに、前記参照試料データを印刷装置に出力する参照試料出力手段を有する請求項1から請求項3の何れか一項に記載された色処理装置。
【請求項５】
前記色票制御手段は、前記複数の色票データとして、前記参照試料と同色の中央色の色票データ、および、前記中央色に所定の色差を加算または減算した周辺色の色票データを生成する請求項1から請求項4の何れか一項に記載された色処理装置。
【請求項６】
前記表示装置において、前記周辺色の色票データに対応する複数の色票の中央に、前記中央色の色票データに対応する色票が表示される請求項5に記載された色処理装置。
【請求項７】
前記色票制御手段は、前記ユーザ指示が前記周辺色の選択を示す場合、前記中央色を前記選択された周辺色に変更し、前記変更後の中央色の色票データ、および、前記変更後の中央色に前記所定の色差を加算または減算した周辺色の色票データを生成する請求項5または請求項6に記載された色処理装置。
【請求項８】
前記色票制御手段は、前記ユーザ指示が前記中央色の選択を示す場合、前記所定の色差を縮小し、前記中央色に前記縮小後の色差を加算または減算した周辺色の色票データを生成する請求項5から請求項7の何れか一項に記載された色処理装置。
【請求項９】
前記色票制御手段は、前記縮小後の色差と所定の閾値の比較に基づき、前記組み合わせの等色関係を取得するか否かを判定する請求項8に記載された色処理装置。
【請求項１０】
前記閾値は、前記表示装置に出力する信号値を1レベル変更した際に発生する色差である請求項9に記載された色処理装置。
【請求項１１】
前記色票制御手段は、前記ユーザ指示が色票データの除外を示す場合、当該色票データを除く他の色票データから前記組み合わせの等色関係を取得する請求項1から請求項10の何れか一項に記載された色処理装置。
【請求項１２】
前記除外される色票データは、前記参照試料の色と等色していないと判断された色票データである請求項11に記載された色処理装置。
【請求項１３】
前記除外される色票データは、当該色票データの色と前記参照試料の色の差が許容範囲外と判断された色票データである請求項11に記載された色処理装置。
【請求項１４】
前記色票制御手段は、前記除外されていない色票データの平均色度を前記等色関係を示すデータとして取得する請求項11から請求項13の何れか一項に記載された色処理装置。
【請求項１５】
前記色票制御手段は、前記ユーザ指示が処理の終了を示す場合、ユーザによって選択される色票データから前記組み合わせの等色関係を取得する請求項1から請求項10の何れか一項に記載された色処理装置。
【請求項１６】
前記選択される色票データは、前記参照試料の色と等色していると判断された色票データである請求項15に記載された色処理装置。
【請求項１７】
前記選択される色票データは、当該色票データの色と前記参照試料の色の差が許容範囲内と判断された色票データである請求項15に記載された色処理装置。
【請求項１８】
前記色票制御手段は、前記選択された色票データの平均色度を前記等色関係を示すデータとして取得する請求項15から請求項17の何れか一項に記載された色処理装置。
【請求項１９】
参照試料の色情報および表示装置の色特性を記憶する記憶手段を用いて、異なるデバイスの間の等色関係を取得する色処理方法であって、
前記参照試料の色情報に基づき色が異なる複数の色票データを生成し、
前記表示装置の色特性に基づき前記生成された複数の色票データを補正し、前記補正した複数の色票データを前記表示装置に出力し、
ユーザ指示を入力し、
前記ユーザ指示に基づき前記複数の色票データの少なくとも一部を変更し、
前記表示装置の色特性に基づき前記変更された複数の色票データを補正し、前記補正した複数の色票データを前記表示装置に出力し、
前記ユーザ指示に基づき、前記参照試料と前記色票データの組み合わせにおける等色関係を取得するか否かを判定し、前記等色関係を取得すると判定した場合、当該組み合わせにおける等色関係を前記記憶手段に格納する色処理方法。
【請求項２０】
コンピュータを請求項1から請求項18の何れか一項に記載された色処理装置の各手段として機能させるためのプログラム。
【発明の詳細な説明】
【技術分野】
【０００１】
本発明は、人間の視覚特性を取得する色処理に関する。
【背景技術】
【０００２】
色の見え方に対する人間の視覚感度は等色関数として国際照明委員会(CIE)によって標準化されている。一般的なカラーマッチングは、このCIE等色関数を用いてマッチング対象のデバイス（モニタやプリンタ等）の色を数値化し、色を数値的に一致させる方法を用いる。
【０００３】
人間の視覚感度には個人差があり、CIE等色関数は複数の被験者の平均値を採用する。従って、個人の視覚感度は必ずしもCIE等色関数と一致しないことが知られている。
【０００４】
特許文献1は、個人の視覚特性を考慮してカラーマッチングを行う方法を開示する。特許文献1の技術によれば、視覚特性の個人差を考慮するために、まず、各人に印刷物の色票とモニタに表示した色票の色を一致させる等色実験を行わせる。そして、等色実験の結果に基づき、各人に対応する表示色を得るための変換行列を作成し、当該変換行列を用いて画像を変換することで、個人差を吸収したカラーマネジメントを実現する。
【０００５】
等色実験では、色弁別の限界付近で微妙な色の違いを判断する必要がある。そのため、最適解に到達したか否かの判断が難しく、延々と色調整を繰り返すことや、等色点とは異なる局所解（ハズレ値）に収束する問題がある。
【先行技術文献】
【特許文献】
【０００６】
【特許文献１】特開2010-268294号公報
【発明の概要】
【発明が解決しようとする課題】
【０００７】
本発明は、異なるデバイス間の等色関係を簡易かつ高精度に取得することを目的とする。
【課題を解決するための手段】
【０００８】
本発明は、前記の目的を達成する一手段として、以下の構成を備える。
【０００９】
本発明にかかる色処理は、参照試料の色情報および表示装置の色特性を記憶する記憶手段を有し、異なるデバイスの間の等色関係を取得する色処理装置の色処理であって、前記参照試料の色情報に基づき色が異なる複数の色票データを生成し、前記表示装置の色特性に基づき前記生成した複数の色票データを補正し、前記補正した複数の色票データを前記表示装置に出力し、ユーザ指示を入力し、前記ユーザ指示に基づき前記複数の色票データの少なくとも一部を変更し、前記表示装置の色特性に基づき前記変更された複数の色票データを補正し、前記補正した複数の色票データを前記表示装置に出力し、前記ユーザ指示に基づき、前記参照試料と前記色票データの組み合わせにおける等色関係を取得するか否かを判定し、前記等色関係を取得をすると判定した場合、当該組み合わせにおける等色関係を前記記憶手段に格納する。
【発明の効果】
【００１０】
本発明によれば、異なるデバイス間の等色関係を簡易かつ高精度に取得することができる。
【図面の簡単な説明】
【００１１】
【図１】実施例の色処理を実行する情報処理装置の構成例を示すブロック図。
【図２】実施例の色処理装置の論理構成例を説明するブロック図。
【図３】色票制御部の構成例を説明するブロック図。
【図４】色処理装置がモニタに表示するUIの一例を示す図。
【図５】中央色をab平面の原点とした場合の周辺色の位置関係を模式的に示す図。
【図６】色処理装置が実行する色処理を説明するフローチャート。
【図７】色処理装置が実行する色処理を説明するフローチャート。
【図８】色処理装置が実行する色処理を説明するフローチャート。
【図９】各色票の色度とユーザが知覚するチャートの色度の関係を模式的に示す図。
【図１０】個人等色データテーブルの一例を示す図。
【図１１】ユーザ指示と処理の遷移の関係を説明する状態遷移図。
【図１２】実施例2の色処理装置が実行する色処理を説明するフローチャート。
【図１３】実施例2におけるユーザ指示と処理の遷移の関係を説明する状態遷移図。
【発明を実施するための形態】
【００１２】
以下、本発明にかかる実施例の色処理を図面を参照して詳細に説明する。
【実施例１】
【００１３】
［装置の構成］
図1のブロック図により実施例の色処理を実行する情報処理装置の構成例を示す。
【００１４】
CPU201は、RAMなどのメインメモリ202をワークメモリとして、ROM209やハードディスクドライブ(HDD)203に格納されたプログラムを実行し、システムバス206を介して後述する構成を制御する。なお、ROM209やHDD203には、後述する色処理を実現するプログラムや各種データが格納されている。
【００１５】
USBやIEEE1394などの汎用インタフェイス(I/F)204には、キーボードやマウスなどの指示入力部207、測定器208、プリンタ210などが接続される。また、ビデオカード(VC)205には、モニタ211が接続される。CPU201は、ユーザインタフェイス(UI)や処理経過や処理結果を示す情報をモニタ211に表示する。
【００１６】
例えば、CPU201は、指示入力部207を介して入力されるユーザ指示に従いROM209、HDD203または記録メディア208に格納されたアプリケーションプログラム(AP)をメインメモリ202の所定領域にロードする。そして、APを実行し、APに従いモニタ211にUIを表示する。
【００１７】
次に、CPU201は、ユーザによるUIの操作に従いHDD203に格納された各種データをメインメモリ202の所定領域にロードする。そして、APに従いメインメモリ202にロードした各種データに所定の演算処理を施す。そして、CPU201は、ユーザによるUIの操作に従い演算処理結果をモニタ205に表示したり、HDD203に格納する。
【００１８】
なお、CPU201は、システムバス206に接続された図示しないネットワークI/Fを介して、ネットワーク上のサーバ装置との間でプログラム、データ、演算処理結果の送受信を行うこともできる。
【００１９】
［論理構成］
図2のブロック図により実施例の色処理装置10の論理構成例を説明する。なお、図2に示す構成は、CPU201がAPを実行することにより実現される。以下では、色処理装置10により、異なるデバイス（例えばプリンタとモニタ）の間の等色実験を行って、個人の視覚特性に対応する等色データテーブルを作成する色処理例を説明する。
【００２０】
図2において、色票制御部106は、モニタ色特性記憶部105に格納された色特性データを色票出力部107に設定し、参照試料記憶部102に格納された参照試料の色情報に基づき色票データを生成し、生成した色票データを色票出力部107に出力する。
【００２１】
色票制御部106は、指示入力部207に対応する入力部101を介して入力されるユーザ指示に応じて色票データを変更し、変更した色票データを色票出力部107に出力する。また、詳細は後述するが、入力部101を介して入力されるユーザ指示に基づき等色関係が得られたと判定すると、判定時点の色票データ（等色実験結果）を参照試料に対応付けて等色データ記憶部108に格納する。
【００２２】
色票出力部107は、設定された色特性データに基づき入力された色票データを補正し、補正した色票データをモニタ211に出力する。モニタ211は、入力される色票データに対応する色票を表示する。
【００２３】
参照試料出力部103は、入力部101を介して入力されるユーザ指示が参照試料の出力を示す場合、参照試料記憶部102に格納された参照試料データをプリンタ210に出力し、プリンタ210に参照試料を印刷させる。
【００２４】
等色データテーブル作成部109は、等色実験が終了すると、等色データ記憶部108に格納された等色実験結果に基づきユーザの個人等色データテーブルを作成し、作成した個人等色データテーブルを等色データ記憶部108に格納する。
【００２５】
測定値入力部110は、測定器208からモニタ211の測色結果を入力し、測色結果に基づきモニタ211の色再現特性を示す色特性データをモニタ色特性記憶部105に格納する。また、プリンタ210が印刷した参照試料の測色結果を測定器208から入力し、測色結果を当該参照試料の測定値として参照試料記憶部102に格納する。
【００２６】
モニタ色特性記憶部105、参照試料記憶部102、等色データ記憶部108は、HDD203の所定領域に割り当てられる。なお、モニタ色特性記憶部105が記憶する色特性データや参照試料記憶部102が記憶する測定値は、測定器208を用いた取得に限らず、外部のサーバ装置などから取得することも可能である。
【００２７】
●色票制御部
図3のブロック図により色票制御部106の構成例を説明する。
【００２８】
指示判定部601は、入力部101を介して入力されるユーザ指示の内容を判定する。ユーザ指示には、詳細は後述するが、例えば明度調整指示、周辺色の選択指示、中央色の選択指示、色票の除外/復帰指示、等色実験の継続/終了指示などが含まれる。
【００２９】
明度調整部602は、明度調整指示が入力された場合に色票の明度を変更する。色度調整部603は、周辺色の選択指示または中央色の選択指示が入力された場合に色票の色度を変更する。色票表示制御部604は、色票の除外/復帰指示が入力された場合、後述する色票の除外/復帰を行う。演算判定部605は、後述する演算および判定を行い、等色実験結果を出力する。
【００３０】
［ユーザインタフェイス］
図4により色処理装置10がモニタ211に表示するUIの一例を示す。
【００３１】
チャート301は、プリンタ210によって印刷された参照試料データに対応する反射原稿のチャート、つまり参照試料である。チャート301に含まれる複数の色票は同一色を有する。
【００３２】
色票表示部302には、複数の色票が表示され、中央の色票は現在選択されている色（以下、中央色）305に対応し、四つの色票は中央色305の周辺の色（以下、周辺色）303、304、306、307に対応する。
【００３３】
図5により中央色305をab平面の原点とした場合の周辺色の位置関係を模式的に示す。中央色305の色度を(0, 0)とすると、図5に示すように、周辺色303は色度(-a, 0)、周辺色304は色度(+a, 0)、周辺色306は色度(0, -b)、周辺色307は色度(b, 0)を有する。ここで、中央色307と各周辺色の色差Dは下式で表される。
D = √(a2 + 0) = √(0 + b2)      …(1)
【００３４】
ここでは、中央色305と各周辺色の色差をすべてDとするが、a軸方向の色差をDaとし、b軸方向の色差をDb（≠Da）としてもよいし、中央色305に対する各周辺色の色差をそれぞれ異ならせてもよい。また、ここでは、モニタ211に表示する色票群をLab空間上の一点（中央色305）とその周辺色の組み合わせにする例を説明するが、これに限定されるものではない。つまり、他の色空間を使用してもよく、中央色と周辺色として複数の色を組み合わせればよい。
【００３５】
［色処理」
図6、図7、図8のフローチャートにより色処理装置10が実行する色処理を説明する。
【００３６】
色票制御部106は、モニタ色特性記憶部105からモニタ211の色特性データを取得し(S401)、取得した色特性データを色票出力部107に設定する(S402)。
【００３７】
次に、色票制御部106は、等色実験に用いる色に対応する参照試料の測定値を参照試料記憶部102から取得する(S403)。なお、グレイのN階調（例えばN=1〜255）、一次色、二次色（RGBCMY）など、色票として印刷可能な任意の色、任意の色数を等色実験に用いることができる。ここでは、説明を簡単にするため、グレイの四階調を等色実験に用いる例を説明する。なお、以下の説明においては、用語「階調」と「色」を区別することなく、両者を同じ意味で用いる。
【００３８】
次に、色票制御部106は、等色実験対象の階調を選択し(S404)、選択階調の参照試料の測定値を中央色305の初期値に設定する(S405)。つまり、中央色305を選択階調の参照試料と同色にする。選択した階調の色票の測定値をLPaPbPとすると、中央色305のLab値LCaCbCは下式で表される。
(LC, aC, bC) = (LP, aP, bP)      …(2)
【００３９】
次に、色票制御部106は、周辺色303、304、306、307を設定する(S406)。各周辺色のLab値は、中央色305に所定の色差Dを加算または減算する下式で表される。
周辺色303：(LC, aC-D, bC)
周辺色304：(LC, aC+D, bC)
周辺色306：(LC, aC, bC-D)
周辺色307：(LC, aC, bC+D)      …(3)
【００４０】
次に、色票制御部106は、中央色305、周辺色303、304、306、307のLab値を色票出力部107に出力する(S407)。Lab値が入力された色票出力部107は、それらLab値を色特性データに基づき補正して、補正したLab値によってモニタ211のUIに五つの色票を表示する（図3）。
【００４１】
ユーザは、選択階調に対応するチャート301を色票表示部の上側（または下側）に配置して（図3参照）、UIに表示された五つの色票の色とチャート301の色を比較する。なお、色票制御部106は、選択階調に対応するチャートを示す情報を比較の直前にUIに表示する。従って、ユーザは、比較対象のチャート301を適切に選択して使用することができる。
【００４２】
次に、色票制御部106は、入力部101を介してユーザ指示を入力し(S408)、ユーザ指示の内容を判定する(S409a-S409c)。ユーザ指示が明度調整を示す場合(S409a)、ユーザ指示と伴に入力された調整指示に応じて中央色305、周辺色303、304、306、307のL値を変更し(S410)、処理をステップS407に戻す。これにより、変更後のLab値が色票出力部107に出力され、UIに表示された五つの色票の明度が調整される。
【００４３】
また、ユーザ指示が周辺色の選択を示す場合(S409b)、色票制御部106は、選択された周辺色（以下、選択色）に応じて中央色305の色度値abを下記のように変更し(S411)、処理をステップS406に戻す。これにより、中央色305の色度変更に応じて各周辺色のLab値が変更され、変更後のLab値が色票出力部107に出力され、UIに表示された中央色、周辺色の色が変化する。
if (選択色 == 周辺色303) {
aC = aC - D；
bC = bC；
}
if (選択色 == 周辺色304) {
aC = aC + D；
bC = bC；
}
if (選択色 == 周辺色306) {
aC = aC；
bC = bC - D；
}
if (選択色 == 周辺色307) {
aC = aC；
bC = bC + D；
}                              …(4)
【００４４】
また、ユーザ指示が中央色305の選択を示す場合(S409c)、色票制御部106は、色差DをkD（0＜k＜1）に縮小し(S412)、縮小後の色差Dが閾値Dth以上か否かを判定する(S413)。縮小後の色差Dが閾値Dth以上（D≧Dth）の場合、色票制御部106は、処理をステップS406に戻す。その結果、縮小後の色差Dに基づき各周辺色の色度値abが変更され、変更後のLab値が色票出力部107に出力され、UIに表示された色票の一部、つまり周辺色の色度だけが変化する。
【００４５】
また、縮小後の色差Dが閾値Dth未満（D＜Dth）の場合、色票制御部106は、選択階調の処理終了条件が満たされたと判定し、処理をステップS414に進める。なお、閾値Dthには、例えば、モニタ211に供給する信号値を1レベル変更した場合に再現可能な色の差（つまり、モニタ211の色分解能）を用いる。あるいは、日本色彩研究所の色差等級の値、例えばAAA級許容差〜B級許容差の範囲や、慣例的に用いられる色差（例えば色差1.0）を閾値Dthに用いても構わない。
【００４６】
選択階調の処理終了条件が満たされると、色票制御部106は、中央色305の色値Labを選択階調に対応付けて個人等色データ記憶部108に格納し(S414)、処理をステップS415に進める。
【００４７】
●色弁別限界の考慮
上記の色調整が進むと、チャート301と色票の色の違やそれぞれの色票の色の違いが小さくなり、最終的にユーザは色弁別の限界付近で微妙な色の違いを判断し、何れかの色票を選択することが必要になる。上述したように、色弁別の限界付近では、最適解に到達したか否かの判断が難しく、延々と色調整を繰り返すことや、等色点とは異なる局所解（ハズレ値）に収束する可能性がある。
【００４８】
図9により各色票の色度とユーザが知覚するチャート301の色度の関係を模式的に示す。図9において、等色中心はユーザが知覚するチャート301の色度に相当し、等色実験で取得すべき色度である。また、等色楕円はユーザが等色中心との色の違いを知覚することができない弁別限界を示す。
【００４９】
図9(a)は最適値に近い色票が複数存在する場合を示している。ユーザは、等色楕円内部にある中央色305、周辺色304、306と等色中心の色の違いを知覚することができない。この場合、ユーザは、等色楕円の内部にある複数の色票から最適値を選択することができない可能性や、等色楕円の内部にある複数の色票に対して選択を繰り返す可能性がある。
【００５０】
また、図9(c)は何れの色票も等色楕円に入らず、等色中心との色の違いが許容できる色票が複数ある場合を示している。なお、図9(c)において、許容楕円はユーザが等色中心との色の違いを許容できる限界を示す。この場合、ユーザが解なしとして色票を選択することができない可能性、最適値とは異なる局所解（許容範囲に入る色票）に収束する可能性、あるいは、色の違いが許容範囲に入る中央色305または周辺色30を繰り返し選択する可能性がある。
【００５１】
また、図9(c)は中央色305、各周辺色が等色楕円に入らず、ユーザにはチャート301の色と等色に見える色票がない場合を示している。図9(c)に示す状態において、ユーザが中央色305を選択すれば周辺色306が等色中心に近付く可能性がある、しかし、ユーザが中央色305を選択するとは限らず、その場合は色調整の繰り返しが発生する可能性がある。
【００５２】
そこで、本実施例においては、ユーザによる色票の除外/復帰を許容して、図9(b)に示すように等色楕円に含まれる色票の色、または、図9(d)に示すように許容楕円に含まれる色票の色から等色中心に近い色度値を取得する。
【００５３】
図9(b)は、中央色305、周辺色304、306とチャート301の色が等色と見える場合、ユーザが周辺色303、307の色票を除外し（×印を付した周辺色）、残る中央色305、周辺色304、306の平均色度値を取得する例である。同様に、図9(d)は、ユーザが中央色305、周辺色306とチャート301の色の差が許容範囲内と判断し、色の差が許容範囲外の周辺色303、304、307の色票を除外し、残る中央色305と周辺色306の平均色度値を取得する例である。図9(b)(d)に示すように、等色楕円または許容楕円内にある一つの色票の色度値を取得する場合に比べ、等色中心により近い色度値が取得される可能性が高い。
【００５４】
本実施例の色処理は、上記の色弁別限界を考慮して、色票の除外/復帰処理を行う。つまり、ユーザ指示が色票の除外/復帰を示す場合(S409c)、色票制御部106は、除外/復帰が指示された色票の表示/非表示状態を変更する(S421)。なお、表示された色票が指示された場合は当該色票を除外（非表示状態）し、非表示状態の色票に対応する位置が指示された場合は当該位置の色票を復帰（表示状態）にする。
【００５５】
次に、色票制御部106は、例えば「現在のチャートに対する等色実験を継続しますか終了しますか、あるいは、色票の除外/復帰を行いますか？」などのメッセージをUIに表示し、ユーザの応答を待つ(S422)。ユーザから等色実験の継続を示す応答があった場合は処理をステップS408に戻す。また、ユーザから色票の除外/復帰を指示された場合は処理をステップS421に戻す。
【００５６】
ユーザから等色実験の終了を示す応答があった場合、色票制御部106は、表示状態の色票から色度値を下記のように算出する(S423)。そして、算出した色度値を選択階調に対応付けて個人等色データ記憶部108に格納し(S424)、処理をステップS415に進める。
if (N == 5 or N == 0) {
aC = aC；
bC = bC；
} else {
aC = Σi=0N-1ai/N；
bC = Σi=0N-1bi/N；
}                              …(5)
ここで、Nは表示状態の色票の数、
iは表示状態の色票のインデックス（0からN-1）。
【００５７】
式(5)において、表示状態の色票の数N=0は通常あり得ないが、全ての色票が除外され、現在のチャートに対する等色実験の終了が指示された場合に、選択階調に対応するデータの欠けを防ぐためである。なお、N=0において得た色度値にはその旨を記録することが望ましい。
【００５８】
選択階調の処理終了条件が満たされた場合、または、現在のチャートに対する等色実験の終了が指示された場合、色票制御部106は、等色実験に用いる全階調を選択したか否かを判定する(S415)。そして、未選択（未処理）の階調があれば処理をステップS404に戻して次の階調を選択して上記の処理を繰り返す。また、全階調の処理（等色実験）が終了したと判定した場合は、等色データテーブル作成部109に等色実験終了を通知する。
【００５９】
等色実験終了の通知を受信した等色データテーブル作成部109は、個人等色データ記憶部108に格納されたデータに基づき、個人等色データテーブルを作成する。そして、作成した個人等色データテーブルをユーザに関連付けて個人等色データ記憶部108に格納し(S416)、処理が終了する。
【００６０】
図10により個人等色データテーブルの一例を示す。図10に示す個人等色データテーブルは、等色実験に用いる階調数分の反射原稿のチャート301の色値（試料色）とモニタ211のグレイの色値（表示色）の対応（等色関係）を示す。なお、図10にはXYZ値を記録する例を示すが、Lab値やsRGB値など、色を表す情報を記録すればよい。なお、必要であれば、個人等色データテーブルに等色実験における環境条件（照明光、周囲条件、モニタ211の特定情報など）を例えばユーザ入力に従い含めることができる。
【００６１】
［状態遷移］
図11の状態遷移図によりユーザ指示と処理の遷移の関係を説明する。
【００６２】
色票制御部106は、初期化(S601)において、色票出力部107に対するモニタ211の色特性データの設定、等色実験に用いる色票の測定値の取得、一つ目の階調の選択、中央色および周辺色の設定などを行う。そして、色票表示(S602)において、UIに色票を表示するか、UIに表示した色票を更新して、ユーザ指示の入力を待つ(S603)。
【００６３】
入力されたユーザ指示が明度変更を示す場合、色票制御部106は、明度変更(S604)において中央色および周辺色のL値を変更し、状態S602に戻る。
【００６４】
ユーザ指示が色票の選択を示す場合、色票制御部106は、色票判定(S605)において、選択された色票が中央色か周辺色かを判定する。周辺色が選択された場合、色度変更(S606)において中央色および周辺色の色度を変更し、状態S602に戻る。また、中央色が選択された場合、色差縮小(S607)において色差DをkD（0＜k＜1）に縮小する。そして、閾値判定(S608)において縮小後の色差Dと閾値Dthを比較してD≧Dthならば、色差変更(S609)において周辺色の色度を変更し、状態S602に戻る。また、D＜Dthになると終了判定(S610)に進む。
【００６５】
ユーザ指示が色票の除外/復帰を示す場合、色票制御部106は、表示切替(S621)において、指示された色票の表示/非表示状態を切り替え、ユーザ指示の入力を待つ(S622)。入力されたユーザ指示が色票の除外/復帰を示す場合、再び表示切替(S621)において、指示された色票の表示/非表示状態を切り替える。また、ユーザ指示が等色実験の継続を示す場合は状態S602に戻り、ユーザ指示が等色実験の終了を示す場合は、色度値算出(S623)において式(5)により表示状態の色票から色度値を算出し、算出した色度値を格納して終了判定(S610)に進む。
【００６６】
終了判定(S610)において、色票制御部106は、等色実験に用いる全階調の処理（等色実験）が終了したか否かを判定する。未処理の階調がある場合、階調遷移(S611)において次の階調を選択し、選択した階調に対応する中央色および周辺色を設定して状態S602に戻る。
【００６７】
等色実験が終了すると、等色データテーブル作成部109は、テーブル作成(S611)において、個人等色データテーブルを作成し処理を終了する(S612)。
【００６８】
このように、ユーザがモニタの表示色とチャートの色を比較する等色実験において、ユーザ指示に応じて表示色を制御する。従って、ユーザが自ら表示色を調整する必要はなく、ユーザによる色調整の困難さ、色調整の試行錯誤を防いで、簡易かつ高精度に等色実験結果を得ることができる。
【００６９】
さらに、ユーザは、モニタの表示色とチャートの色の差が色弁別限界付近に達した場合、等色とは言えない色の色票（最適ではない色票、以下、不適色票）を除外して、等色実験の終了を指示することができる。従って、色弁別限界付近の色の違いの判断に起因する、色調整の繰り返しや、妥協による局所解（ハズレ値）への収束を防ぐことができる。
【実施例２】
【００７０】
以下、本発明にかかる実施例2の色処理を説明する。なお、実施例2において、実施例1と略同様の構成については、同一符号を付して、その詳細説明を省略する。
【００７１】
実施例1では、ユーザが不適色票を除外することで、色弁別限界付近の色の違いの判断に起因する、色調整の繰り返しや、妥協による局所解（ハズレ値）への収束を防ぐ手法を説明した。しかし、不適色票を除外した後、残る色票に不適色票があるか否かを確認し、必要であれば、再び不適色票を除外する作業は面倒な場合がある。
【００７２】
実施例2では、色票の除外を簡潔に行う手法を説明する。つまり、色票の中から不適色票ではない色票（色度値の算出対象色票）をまとめて選択することを可能にして、その選択結果から等色実験結果を決定する手法である。
【００７３】
図12のフローチャートにより実施例2の色処理装置10が実行する色処理を説明する。なお、ステップS401からS409b、S410からS416の処理は実施例1と同様であり、その詳細説明を省略する。
【００７４】
色票制御部106は、ステップS409cにおいて、ユーザ指示が等色実験の終了（処理の終了）を示す場合、例えばUIに色票303〜307に対応するラジオボタンを有するダイアログ（色票選択ユーザインタフェイス）を表示する(S431)。ユーザが色票を選択してダイアログの例えば「選択完了」ボタンを押すと(S432)、選択された色票から式(5)により色度値を算出する(S433)。そして、算出した色度値を選択階調に対応付けて個人等色データ記憶部108に格納し(S434)、処理をステップS415に進める。
【００７５】
なお、ステップS431において、ユーザから選択完了が指示された後、非選択の色票を非表示状態にし、選択が正しいか否かをユーザに判断させ、選択が正しくない場合は色票選択をやり直すようにしてもよい。
【００７６】
図13の状態遷移図により実施例2におけるユーザ指示と処理の遷移の関係を説明する。実施例1の状態遷移図（図11）と異なるのは、状態S621からS623に代わる状態S621からS623を備えることである。
【００７７】
つまり、ユーザ指示が複数色票の選択を示す場合、色票制御部106は、色票選択(S631)において、色票選択ユーザインタフェイスを表示し、ユーザの選択完了指示を待つ(S632)。そして、選択完了指示が入力されると、色度値算出(S633)において、選択された色票から式(5)により色度値を算出し、算出した色度値を格納して終了判定(S610)に進む。
【００７８】
このように、ユーザは、モニタの表示色とチャートの色の差が色弁別限界付近に達した場合、等色実験の終了を指示して、等色関係を示すデータの取得に使用する色票を指定することができる。従って、色票の除外を簡潔にして、色弁別限界付近の色の違いの判断に起因する、色調整の繰り返しや、妥協による局所解（ハズレ値）への収束を防ぐことができる。
【００７９】
［変形例］
上記では、参照試料に対応するデバイスを例えばRGBプリンタ、色票を出力するデバイスをモニタにする例を説明したが、等色関係を取得するデバイスは、これらに限定されるものではない。例えば、CMYKプリンタ、プロジェクタなど他の画像入出力デバイスでもよい。
【００８０】
また、上記では、色の測定値としてCIELAB空間のLab値を用いる例を示したが、CIEXYZ空間のXYZ値、CIELUV空間のLuv値、CIECAM97、CIECAM02空間のJab値などでもよい。
【００８１】
また、上記実施例によって作成される等色データテーブルは、入力デバイスと出力デバイスの間のカラーマッチングを行うアプリケーションに利用される。しかし、等色データテーブルを作成する機能を例えばキャリブレーション機能の一部としてデバイスに組み込むこともできる。例えば、出力デバイスであるモニタのキャリブレーション機能に等色データテーブルを作成する機能を組み込むことができる。
【００８２】
［その他の実施例］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステムあるいは装置のコンピュータ（又はCPUやMPU等）がプログラムを読み出して実行する処理である。
【図１】
2014121022.tif 000003
【図２】
2014121022.tif 000004
【図３】
2014121022.tif 000005
【図４】
2014121022.tif 000006
【図５】
2014121022.tif 000007
【図６】
2014121022.tif 000008
【図７】
2014121022.tif 000009
【図８】
2014121022.tif 000010
【図９】
2014121022.tif 000011
【図１０】
2014121022.tif 000012
【図１１】
2014121022.tif 000013
【図１２】
2014121022.tif 000014
【図１３】
2014121022.tif 000015